(57)【特許請求の範囲】
【請求項１】
表面シート、裏面シート、両シート間に介在された吸収体、該吸収体の幅方向外方それぞれに長手方向に沿って配設された防漏壁を備えた生理用ナプキンであって、
長手方向に、着用時に着用者の液排泄部に対向配置される部位である排泄部対向部と、該排泄部対向部よりも着用者の後方に配置される後方部と、前端部と、後端部とを有し、
前記表面シートは、肌当接面側に突出した多数の凸部を有する凹凸シートからなり、
前記表面シートの長手方向両側部それぞれには、撥水性のサイドシートが接合されており、
前記表面シートの前記凹凸シートの肌当接面側と前記サイドシートの非肌当接面側とは、隣接する前記凸部間に空隙が形成されるように、該凹凸シートの該凸部において、散点状に接合されており、
前記吸収体は、上層吸収体及び下層吸収体からなる２層構造を有し、該上層吸収体は、該下層吸収体より長さが短く、幅が狭くなっており、前記排泄部対向部に配され、中高領域を形成しており、
前記防漏壁は、前記吸収体の幅方向外方から起立した基壁部と、該基壁部の上端部に連設された面状の弾性伸縮部と、該基壁部の高さ方向中間部から幅方向内方に延出した重層部とを備えており、
前記防漏壁は、前記排泄部対向部及び前記後方部においては起立しており、且つ前記前端部及び前記後端部においては、前記弾性伸縮部が前記表面シートに固定されることで起立が阻害されており、
前記重層部は、前記排泄部対向部よりも後方の前記後方部において、前記防漏壁を形成する防漏壁形成用シートが、前記基壁部の高さ方向中間部において幅方向内方に延出するように山折りに折り重ねられて形成されており、該重層部は、折り重ねられた対向面が対向面接合部により接合されて折り重ね形態を維持しており、
前記重層部は、前記サイドシートの肌当接面側に直接的に又は間接的に接合されている生理用ナプキン。
【請求項２】
前記基壁部における実質的に起立している部分は、実質的に平面状となっている請求項１に記載の生理用ナプキン。
【請求項３】
前記対向面接合部は、前記重層部の折り返された前記対向面における幅方向外方に設けられている請求項１又は２に記載の生理用ナプキン。
【発明の詳細な説明】
【技術分野】
【０００１】
本発明は、生理用ナプキンや失禁パッド等の吸収性物品に関する。
【背景技術】
【０００２】
従来、生理用ナプキンや失禁パッド等の吸収性物品として、その幅方向外方それぞれに防漏壁が長手方向に沿って配設されたものが知られている。防漏壁は、吸収性物品を着用者にフィットする好ましい立体形状に変形させること、着用者の肌に対する密着性を向上させ、液漏れを確実に防止すること等を目的とするものである。
また、防漏壁を、起立した基壁部と、該基壁部の高さ方向中間部から幅方向内方に延出した重層部とから構成することも知られている（例えば、下記特許文献１参照）。重層部を設けることにより、防漏壁において部分的に基壁部の上端部を位置を低くすることができる。
【０００３】
【特許文献１】特開２００３−２４５３０６号公報
【発明の開示】
【発明が解決しようとする課題】
【０００４】
しかし、特許文献１記載の生理用ナプキンにおいては、防漏壁の起立安定性が十分ではない。また、防漏壁における基壁部の上端部の位置を更に低くできる構造が望まれている。
【０００５】
従って、本発明の目的は、防漏壁の起立安定性が高く、防漏壁における基壁部の上端部の位置を低くすることができる吸収性物品を提供することにある。
【課題を解決するための手段】
【０００６】
本発明は、表面シート、裏面シート、両シート間に介在された吸収体、該吸収体の幅方向外方それぞれに長手方向に沿って配設された防漏壁を備えた吸収性物品であって、前記防漏壁は、前記吸収体の幅方向外方から起立した基壁部と、該基壁部の高さ方向中間部から幅方向内方に延出した重層部とを備えており、前記重層部は、前記防漏壁を形成する防漏壁形成用シートが、前記基壁部の高さ方向中間部において幅方向内方に延出するように山折りに折り重ねられて形成されており、該重層部は、折り重ねられた対向面が対向面接合部により接合されて折り重ね形態を維持している吸収性物品を提供することにより上記の目的を達成したものである。
【発明の効果】
【０００７】
本発明の吸収性物品によれば、防漏壁の起立安定性が高く、防漏壁における基壁部の上端部の位置を低くすることができる。
【発明を実施するための最良の形態】
【０００８】
以下、本発明の吸収性物品を、その好ましい一実施形態である第１実施形態の生理用ナプキンに基づき図面を参照しながら説明する。
第１実施形態の生理用ナプキン１は、図１〜図３に示すように、液透過性の表面シート２、液不透過性又は液難透過性の裏面シート３及び液保持性の吸収体４を備えている。吸収体４は、表面シート２と裏面シート３との間に介在されている。
【０００９】
生理用ナプキン１は、その長手方向に、着用時に着用者の液排泄部に対向配置される部位である排泄部対向部Ａと、着用時に排泄部対向部Ａよりも着用者の背側（後方）に配置される後方部Ｂと、前端部Ｃと、後端部Ｄとを有している。本実施形態における排泄部対向部Ａと後方部Ｂとの境界は、生理用ナプキン１の長さ方向の略中央部に位置する。
【００１０】
吸収体４は、図３に示すように、上層吸収体４１及び下層吸収体４２からなる２層構造を有している。上層吸収体４１は、下層吸収体４２より長さが短く、幅が狭くなっている。また、上層吸収体４１は、下層吸収体４２には接合されておらず、生理用ナプキン１の長手方向中央部に且つ幅方向中央部に位置している。従って、上層吸収体４１は、いわゆる中高領域を形成する。
尚、「長手方向」及び「幅方向」というときは、特に明記のない限り、それぞれ「吸収性物品の長手方向」及び「吸収性物品の幅方向」を意味する。「上面」及び「下面」というときは、それぞれ「肌当接面（側の面）」及び「非肌当接面（側の面）」を意味する。
【００１１】
表面シート２には、図１〜図３に示すように、中央シール部７６が形成されている。中央シール部７６は、表面シート２と吸収体４の下部吸収体４２とが一体的に圧密化されて形成されており、上層吸収体４１を包囲している。
中央シール部７６は、表面シート２と下層吸収体４２とを接合しているが、表面シート２と上層吸収体４１とは接合していない。また、平面視において、上層吸収体４１の外形と、中央シール部７６の外形とは略一致している。従って、上層吸収体４１は、表面シート２と下層吸収体４２とからなる閉鎖空間に封入されている。
【００１２】
表面シート２は、吸収体４の肌当接面側の全域を被覆しているが、吸収体４の側面４３を被覆していない。表面シート２は、液透過性のシートであれば特に制限されないが、例えば、図４に示すような、肌当接面側に突出した多数の凸部２４を有する凹凸シートからなる。
本実施形態における凹凸シートからなる表面シート２は、肌当接面側の第１繊維層２１と非肌当接面側の第２繊維層２２とからなる。第１繊維層２１と第２繊維層２２とは、部分的に熱融着されて熱融着部２３が形成されている。第１繊維層２１は、熱融着部２３以外の部位において、圧縮弾性を有する多数の凸部２４を形成している。
【００１３】
前記凹凸シートは、繊維集合体からなる第１繊維層２１及び第２繊維層２２を、熱エンボスにより所定のパターンで部分的に熱融着させた後、第２繊維層２２を水平方向に熱収縮させて得られる。詳述すると、熱エンボスによる熱融着は、例えば、多数のエンボスピンが規則的に配設されたエンボス面（エンボスロールの周面等）を、第１繊維層２１と第２繊維層２２との積層体における第１繊維層２１側に圧接させ、各ピンに熱圧された部位における、第１繊維層２１及び／又は第２繊維層２２の構成繊維を溶融させて行われる。
【００１４】
第２繊維層２２の熱収縮は、例えば、第２繊維層２２を熱収縮性繊維から構成するか又は第２繊維層２２中に熱収縮性繊維を含ませておき、第１繊維層２１と第２繊維層２２とを熱融着させると同時に又は両者を熱融着させた後に、第２繊維層２２を加熱処理することにより行われる。多数の凸部２４は、第２繊維層２２を水平方向に熱収縮させることにより、第１繊維層２１の熱融着部２３以外の部位が凸形に変形して生じたものである。
【００１５】
多数の熱融着部２３は、散点状且つ千鳥状に規則的に形成されている。熱融着部２３同士間の距離はほぼ一定である。
各凸部２４は、それぞれドーム状をなしており、その内部は第１繊維層２１を構成する繊維で満たされている。また、各凸部２４が形成された部分における第１繊維層２１と第２繊維層２２との界面は接合されていないが密着した状態とされている。
【００１６】
第１繊維層２１の構成繊維は、実質的に熱収縮性を有しないものか、又は第２繊維層２２の構成繊維の熱収縮温度以下で熱収縮しないものであることが好ましい。
【００１７】
第２繊維層２２の構成繊維としては、熱可塑性ポリマー材料からなり且つ熱収縮性を有するものが好適である。また、該構成繊維は、収縮後にもエラストマー的挙動を示すものであることが好ましい。そのような繊維の例としては、潜在捲縮性繊維が挙げられる。第２繊維層２２中の潜在捲縮性繊維の含有割合は４０〜１００重量％であることが好ましい。潜在捲縮性繊維は、加熱される前においては、従来の不織布用の繊維と同様に取り扱うことができ、且つ所定温度で加熱することによって螺旋状の捲縮が発現して収縮する性質を有する繊維である。潜在捲縮性繊維を用いることで、熱収縮性及びエラストマー的挙動の両者を同時に発現させることができる。
【００１８】
潜在捲縮性繊維は、例えば収縮率の異なる２種類の熱可塑性ポリマー材料を成分とする偏心芯鞘型又はサイド・バイ・サイド型の複合繊維からなる。その例としては、特開平９−２９６３２５号公報や特許第２７５９３３１号公報に記載のものが挙げられる。第２繊維層２２は、例えば、このような潜在捲縮性繊維を含ませておき、第１繊維層２１との熱融着と同時に又はその後に、加熱により該繊維の捲縮を発現させ、収縮させることができる。
【００１９】
表面シート２の長手方向両側部それぞれには、図３及び図５に示すように、撥水性のサイドシート６が接合されている。サイドシート６は、表面シート２の肌当接面側に接合されており、表面シート２の長手方向両側縁から幅方向外方に延出するように接合されている。
【００２０】
サイドシート６は、長手方向には、好ましくは吸収体４の（長手方向）長さの４０％以上、更に好ましくは吸収体４の長さの５５％以上、最も好ましくは吸収体４の長さの１００％以上に亘っている。
サイドシート６の幅（展開状態の幅）は、好ましくは１５〜２５ｍｍ、更に好ましくは１５〜４０ｍｍである。
【００２１】
サイドシート６は、図３に示すように、幅方向に沿う縦断面視において、少なくとも吸収体４の肌当接面側から側面４３に跨って配設されている。本実施形態におけるサイドシート６は、吸収体４の肌当接面側の側縁近傍から吸収体４の側面４３を覆って非肌当接面側（裏面シート３側）へ巻き込まれている。
【００２２】
サイドシート６は、撥水性のシートであれば特に制限されないが、スパンボンド系不織布が好ましく用いられる。スパンボンド系不織布とは、スパンボンドを含む不織布である。スパンボンド系不織布としては、例えば、スパンボンド単層の不織布、スパンボンドが積層されたスパンボンドのみの不織布、スパンボンドとメルトブローンとが組み合わされて一層とされた不織布が挙げられる。
【００２３】
サイドシート６は、スパンボンドとメルトブローンとが組み合わされて一層とされた不織布を用いることが好ましい。このようなスパンボンド（Ｓ）とメルトブローン（Ｍ）とが組み合わされて一層とされた不織布としては、例えば、ＳＭＳ、ＳＭ、ＳＭＭＳ、ＳＳＭＭＳ不織布が挙げられる。特に、ＳＭＳ不織布は、薄く、しなやかな柔らかさを有し、薄くても充分な強度を有し、縦横の強度バランスも良好な点から好ましい。
【００２４】
スパンボンド系不織布の構成繊維としては、例えば、ポリエチレン、ポリプロピレン若しくはプロピレン−エチレンランダム共重合体を主成分とする樹脂等のポリオレフィン系繊維、ポリエチレンテレフタレート繊維又はポリアミド繊維が好ましく、これらの中でもポリオレフィン系繊維が好ましい。繊維構造としては、単独繊維や、芯鞘型繊維、サイドバイサイド繊維といった複合繊維でもよい。プロピレン−エチレンランダム共重合体を用いた繊維、ポリエチレンテレフタレートが芯、ポリエチレンが鞘である芯鞘型繊維、ポリプロピレンが芯、ポリエチレンが鞘である芯鞘型繊維は、特に風合い、肌触りをより向上させる上で好ましい。
【００２５】
表面シート２とサイドシート６とが重なった境界領域Ｓ（図３及び図５参照）の幅は、好ましくは２〜２５ｍｍ、更に好ましくは５〜１５ｍｍである。
凹凸シートからなる表面シート２の肌当接面側とサイドシート６の非肌当接面側とは、図６に示すように、凹凸シートの凸部２４において散点状に接合されていることが好ましい。このように接合されている構成においては、境界領域Ｓにおいて、隣接する凸部２４間に空隙が形成される。従って、表面シート２の肌当接面側を幅方向に伝わる体液は、隣接する凸部２４間の前記空隙を通じて境界領域Ｓの中に流入し、一時保持される。このように、境界領域Ｓには、液を一時保持し得る液一時保持空間が形成されている。
【００２６】
裏面シート３は、吸収体４の非肌当接面側の全域（巻き込まれたサイドシート６を含む）を被覆し、吸収体４の長手方向両側縁からそれぞれ幅方向外方に延出してサイドフラップ７１を形成している。サイドフラップ７１は、生理用ナプキン１の排泄部対向部Ａの位置において更に幅方向外方へ延出し、一対のウイング７２を形成している。ウイング７２は、着用時に、折り曲げられてショーツ等の下着の外表面に粘着剤等により固定されるものである。
【００２７】
表面シート２及び裏面シート３は、それぞれ吸収体４の長手方向前後端からそれぞれ延出し、その延出部分において互いに接合されてエンドシール部７３を形成している。
吸収体４の幅方向外方それぞれには、長手方向に沿って一対の防漏壁５，５が配設されている。防漏壁５は、生理用ナプキン１の前端部Ｃと後端部Ｄとの間に亘って配されている。
【００２８】
防漏壁５は、吸収体４の幅方向外方（本実施形態においては、吸収体４の側面４３の近傍）から起立した基壁部５１と、その上端部５４に連設された面状の弾性伸縮部５２と、基壁部５１の高さ方向中間部から幅方向内方に延出した重層部５８とからなる。弾性伸縮部５２には、生理用ナプキン１の長手方向に沿って弾性部材９（９１，９２）が配されて弾性伸縮性が付与されている。
防漏壁５は、吸収体４の側面４３に沿って設されており、弾性伸縮部５２の上面（肌当接面側）は、吸収体４の上面（肌当接面側）と略平行である。弾性伸縮部５２は、少なくとも排泄部対向部Ａにおいて着用者の肌に面状に当接するようになっている。
【００２９】
弾性伸縮部５２は、基壁部５１の上端部５４に断面Ｔ字状に連設されている。即ち、弾性伸縮部５２は、基壁部５１の上端部５４から生理用ナプキン１の幅方向内方に張り出す内方張出部５２Ａと、基壁部５１の上端部５４から生理用ナプキン１の幅方向外方に張り出す外方張出部５２Ｂとから構成されている。
【００３０】
両張出部５２Ａ，５２Ｂの張り出し幅は異なっており、内方張出部５２Ａの張り出し幅と外方張出部５２Ｂの張り出し幅の比（前者：後者）は、好ましくは３：２〜５：１である。内方張出部５２Ａ及び外方張出部５２Ｂには、それぞれ糸状の内方弾性部材９１が４本，外方弾性部材９２が２本（図３においてはそれぞれ１本のみ図示）、幅方向に間隔をあけて配設されている。弾性部材９は、少なくとも生理用ナプキン１の排泄部対向部Ａ及び後方部Ｂに配されている。
【００３１】
防漏壁５は、排泄部対向部Ａ及び後方部Ｂにおいては起立しており、且つ前端部Ｃ及び後端部Ｄにおいては、少なくとも弾性伸縮部５２の幅方向内側（内方張出部５２Ａ）が表面シート２に固定されることで起立が阻害されている（起立していない）。弾性伸縮部５２は、表面シート２の肌当接面側に、長手方向前側においては前シール部７４により、長手方向後側においては後シール部７５により接合されている。そのため、弾性伸縮部５２の収縮によって、生理用ナプキン１は、その長手方向の全体形状が、図１に示すように凹状に湾曲する。
【００３２】
本実施形態における防漏壁５は、防漏壁形成用シート５３を、生理用ナプキン１の他の構成部材（裏面シート３やサイドシート６等）に固定して形成されている。防漏壁形成用シート５３は、長手方向に亘って一定の幅を有するシートで、基壁部５１の上端部５４と弾性伸縮部５２とが断面Ｔ字状に連設された形状が形成されるように折り返されている。従って、防漏壁形成用シート５３は、基壁部５１及び弾性伸縮部５２において２層となっている。尚、防漏壁形成用シート５３の幅とは、単体状態の防漏壁形成用シート５３の幅であって、吸収性物品の幅方向とは必ずしも一致しない。
【００３３】
より具体的には、排泄部対向部Ａにおいては、図３（ａ）に示すように、基壁部５１の下端部５５（弾性伸縮部５２側の上端部５４とは反対側の端部）は、吸収体４の非肌当接面側に巻き込まれている。そして、巻き込まれた下端部５５は、巻き込まれたサイドシート６の非肌当接面側と裏面シート３の肌当接面側との間に接着剤等の公知の接合手段により固定されている。排泄部対向部Ａにおける防漏壁形成用シート５３の幅方向の固定位置は、基壁部５１における下端部５５近傍である。
【００３４】
後方部Ｂにおいては、図３（ｃ）に示すように、重層部５８は、防漏壁形成用シート５３が、基壁部５１の高さ方向中間部において幅方向内方に延出するように山折りに折り重ねられて形成されている。従って、防漏壁形成用シート５３は、重層部５８において４層となっている。重層部５８の幅Ｗは、好ましくは５〜２５ｍｍ、更に好ましくは５〜２０ｍｍである。重層部５８は、折り重ねられた対向面が対向面接合部５７により接合されて折り重ね形態を維持している。対向面接合部５７は、防漏壁５の基壁部５１を良好に起立させる観点から、重層部５８の折り重ねられた対向面における幅方向外方寄りの位置に設けられていることが好ましい。
重層部５８が設けられることにより、後方部Ｂにおける基壁部５１の上端部５４から裏面シート３までの厚み方向距離は、排泄部対向部Ａにおける該厚み方向距離よりも短くなっている。また、基壁部５１における重層部５８から弾性伸縮部５２の内方張出部５２Ａまでの高さＨは、好ましくは２〜１０ｍｍ、更に好ましくは２〜５ｍｍである。
【００３５】
また、重層部５８は、表面シート２の肌当接面側に直接的に又は間接的に接合されている。本実施形態においては、重層部５８は、図３（ｃ）に示すように、重層部接合部５６により表面シート２の肌当接面側に直接的に接合されている。尚、「表面シート２の肌当接面側に間接的に接合されている」とは、表面シート２以外の部材を介して表面シート２に接合されていることを意味する。
【００３６】
重層部５８は、基壁部５１の長手方向に所定長さに亘って形成されている。重層部５８は、防漏壁５がある部分のうち、前端部Ｃ側から１１０〜１８０ｍｍの範囲を除いた範囲に形成されていることが好ましい。さらに、重層部５８は、排泄部対向部Ａよりも前方及び後方に、又は排泄部対向部Ａよりも後方のみに形成することができる。具体的には、重層部５８の長さは５０〜１００ｍｍである。このように重層部５８を形成することで、防漏壁５における基壁部５１の安定性が増す。
防漏壁５においては、基壁部５１における実質的に起立している部分は、実質的に平面状となっていることが好ましい。
【００３７】
表面シート２、裏面シート３、吸収体４、防漏壁５を構成する材料としては、それぞれ、生理用ナプキン、失禁パッド等の吸収性物品に従来用いられている材料を特に制限なく用いることができる。
裏面シート３は、単層シートでも積層シートでもよく、この積層シートは、液不透過性シートと液透過性シートとの積層体であってもよい。
【００３８】
防漏壁５の弾性伸縮部５２は、弾性部材９を用いず、伸縮性のあるフィルムや不織布、伸縮性のあるフィルムと不織布とのラミネート材料、伸縮性のないフィルムに凹凸加工により伸縮性を付与した材料等で構成されていてもよい。また、基壁部５１も弾性伸縮部５２と同様に伸縮性を有していてもよい。
また、本実施形態における防漏壁５は、基壁部５１と弾性伸縮部５２とが一体的に形成されているが、基壁部５１と弾性伸縮部５２とを別々に製造し、それらを接合して形成することもできる。
【００３９】
本実施形態の生理用ナプキン１によれば、防漏壁５に、基壁部５１の高さ方向中間部から幅方向内方に延出した重層部５８とを備えており、重層部５８は、防漏壁形成用シート５３が、基壁部５１の高さ方向中間部において幅方向内方に延出するように山折りに折り重ねられて形成されており、重層部５８は、折り重ねられた対向面が対向面接合部５７により接合されて折り重ね形態を維持している。そのため、防漏壁５において部分的に基壁部５１の上端部５４を位置を低くすることができる。
【００４０】
また、重層部５８は、表面シート２の肌当接面側に直接的に又は間接的に接合されている。そのため、特に防漏壁５が幅方向外方に倒れることが防止され、防漏壁５の起立安定性が高い。
基壁部５１における実質的に起立している部分は、実質的に平面状となっている。そのため、装着時に防漏壁５が着用者の体に当接したときに、防漏壁５についての吸収性物品の面方向の動きが低減し、幅方向内側又は外側への倒れ込みも防止できる。
対向面接合部５７は、重層部５８の折り返された対向面における幅方向外方に設けられている。そのため、基壁部５１における実質的に起立している部分は、実質的に平面状の形状を維持し易い。
【００４１】
次に、本発明の別の実施形態の生理用ナプキンについて説明する。別の実施形態の生理用ナプキンについては、第１実施形態の生理用ナプキンと異なる点について説明し、同様の点については説明を省略する。特に説明しない点については、第１実施形態の生理用ナプキンについての説明が適宜適用される。
【００４２】
第２実施形態の生理用ナプキン１は、図７に示すように、第１実施形態に比して、防漏壁５の幅方向に沿う縦断面形状が略Ｔ字状になっていない。具体的には、防漏壁５は、幅方向内方に張り出す内方張出部５２Ａがほとんどなく、幅方向外方に張り出す外方張出部５２Ｂを主体として構成されている。その他の構成は、第１実施形態と同様である。
【００４３】
第３実施形態の生理用ナプキン１においては、図８に示すように、第２実施形態に比して、防漏壁５の基壁部５１は、実質的に平面状となっておらず、重層部５８よりも上方の部分が、重層部５８よりも下方の部分に対し、幅方向内方にずれた位置において起立している。その他の構成は、第２実施形態と同様である。
【００４４】
本発明の吸収性物品は、前記各実施形態に制限されるものではなく、本発明の趣旨を逸脱しない範囲において種々変形可能である。
重層部５８は、表面シート２及びサイドシート６の両方の肌当接面側に直接的に又は間接的に接合されていてもよく、サイドシート６のみの肌当接面側に直接的に又は間接的に接合されていてもよい。
重層部５８の折り重ね回数、重層部５８の幅、重層部５８の折り重ねられた対向面における対向面接合部５７の位置、重層部５８の重層部接合部５６の位置等は、適宜設定することができる。
【００４５】
防漏壁５の基壁部５１の下端部５５は、吸収体４の非肌当接面側に巻き込まれておらず、幅方向外側に向けて折れ曲がっていてもよい。防漏壁５には、弾性伸縮部５２が設けられていなくてもよい。
サイドシート６は、吸収体４の側面４３を覆っていれば、吸収体４の非肌当接面側まで巻き込まれていなくてもよい。例えば、サイドシート６が吸収体４の側面４３を覆い、側面４３から外方に延出され、裏面シート３と接合される形態においては、防漏壁５の基壁部５１は、サイドシート６の側部に固定されていてもよく、裏面シート３に固定されていてもよい。
【００４６】
各実施形態における各構成は、それぞれ別の実施形態に適宜適用することができる。
本発明は、生理用ナプキンの他、失禁パッド、パンティライナー、使い捨ておむつ等に適用することができる。
【図面の簡単な説明】
【００４７】
【図１】図１は、本発明の吸収性物品の第１実施形態としての生理用ナプキンについて、自然状態における概略形態を示す斜視図である。
【図２】図２は、第１実施形態の生理用ナプキンを引き伸ばした状態を示す平面図である。
【図３】図３（ａ）は、図２に示すIIIＡ−IIIＡ断面図、図３（ｂ）は、図３（ａ）の部分拡大図、図３（ｃ）は、図２に示すIIIＣ−IIIＣ断面図である。
【図４】図４は、第１実施形態の生理用ナプキンにおける表面シートを示す図で、（ａ）は縦断面斜視図、（ｂ）は（ａ）に示すＢ−Ｂ断面図である。
【図５】図５は、表面シートとサイドシートとの接合形態を仮想的に展開して示す平面図である。
【図６】図６は、第１実施形態の生理用ナプキンにおける液一時保持空間を示す斜視図である。
【図７】図７は、第２実施形態の生理用ナプキンを示す幅方向に沿う縦断面図〔図３（ｃ）対応図〕である。
【図８】図８（ａ）及び図８（ｂ）は、第３実施形態の生理用ナプキンを示す幅方向に沿う縦断面図〔それぞれ図３（ａ）及び図３（ｃ）対応図〕である。
【符号の説明】
【００４８】
１  生理用ナプキン（吸収性物品）
２  表面シート
３  裏面シート
４  吸収体
５  防漏壁
５１  基壁部
５２  弾性伸縮部
５７  対向面接合部
５８  重層部
６  サイドシート
９  弾性部材
Ａ  排泄部対向部
Ｂ  後方部
【図１】
0004822922.tif 000002
【図２】
0004822922.tif 000003
【図３】
0004822922.tif 000004
【図４】
0004822922.tif 000005
【図５】
0004822922.tif 000006
【図６】
0004822922.tif 000007
【図７】
0004822922.tif 000008
【図８】
0004822922.tif 000009